(57)【要約】      （修正有）【課題】赤外線補聴システムの赤外線受信機に使用される首掛けストラップ兼磁気誘導ループであって、首回りに容易に装着できると共に赤外線受信機が聴取者の胸元に確実に位置され安定して保持され得る首掛けストラップ兼磁気誘導ループを提供する。【解決手段】赤外線補聴システムの赤外線受信機１０に使用される首掛けストラップ兼磁気誘導ループ２０は、電気音声信号を通すための導体を内蔵したストラップ本体２０Ａと、このストラップ本体の少なくとも一方の端部で該導体に電気的に接続固定され、しかも円形横断面を持つ第１の電気的コネクタ２０Ｂとから成る。第１の電気的コネクタが赤外線受信機のケーシング１０Ａに設けられた第２の電気的コネクタ１０Ｈに回動自在にかつ着脱自在に接続されると共にその接続後に第１の電気的コネクタを回動させることによりケーシングに設けられた溝部１０Ｆに係合する。【選択図】図１
0003187014.tif 000002
【実用新案登録請求の範囲】
【請求項１】
赤外線補聴システムの赤外線受信機に使用される首掛けストラップ兼磁気誘導ループであって、
電気音声信号を通すための導体を内蔵したストラップ本体と、
前記ストラップ本体の少なくとも一方の端部で前記導体に電気的に接続固定され、しかも円形横断面を持つ第１の電気的コネクタとから成る首掛けストラップ兼磁気誘導ループにおいて、
前記第１の電気的コネクタが前記赤外線受信機のケーシングに設けられた第２の電気的コネクタに回動自在にかつ着脱自在に接続されると共にその接続後に該第１の電気的コネクタを回動させることにより該ケーシングに設けられた溝部に収納させられると共に該溝部と掛合させられることを特徴とする首掛けストラップ兼磁気誘導ループ。
【請求項２】
請求項１に記載の首掛けストラップ兼磁気誘導ループにおいて、前記ストラップ本体の他方の端部が前記赤外線受信機のケーシング内の内部回路に直接的に接続され、該ストラップ本体の両端部のいずれか一方から前記電気音声信号が前記ストラップ本体内の導体に送られることを特徴とする首掛けストラップ兼磁気誘導ループ。
【請求項３】
請求項１又は２に記載の首掛けストラップ兼磁気誘導ループにおいて、前記第１及び第２の電気的コネクタの一方が雄型コネクタとして形成され、その他方が雌型コネクタとして形成されることを特徴とする首掛けストラップ兼磁気誘導ループ。
【請求項４】
請求項３に記載の首掛けストラップ兼磁気誘導ループにおいて、前記雄型コネクタがイアホンプラグとして構成され、前記雌型コネクタがイアホンジャックとして構成されることを特徴とする首掛けストラップ兼磁気誘導ループ。
【請求項５】
請求項１に記載の首掛けストラップ兼磁気誘導ループであって、更に、前記ストラップ本体の他方の端部で前記導体に電気的に接続固定され、しかも円形横断面を持つ第３の電気的コネクタとから成る首掛けストラップ兼磁気誘導ループにおいて、
前記第３の電気的コネクタが前記赤外線受信機のケーシングに設けられた第４の電気的コネクタに回動自在にかつ着脱自在に接続されると共にその接続後に該第３の電気的コネクタを回動させることにより該ケーシングに設けられた溝部に収納させられると共に該溝部と掛合させられることを特徴とする首掛けストラップ兼磁気誘導ループ。
【請求項６】
請求項５に記載の首掛けストラップ兼磁気誘導ループにおいて、前記ストラップ本体の両端部のいずれか一方から前記電気音声信号が前記ストラップ本体内の導体に送られることを特徴とする首掛けストラップ兼磁気誘導ループ。
【請求項７】
請求項５又は６に記載の首掛けストラップ兼磁気誘導ループにおいて、前記第１及び第２の電気的コネクタの一方が雄型コネクタとして形成され、その他方が雌型コネクタとして形成され、前記第３及び第４の電気的コネクタの一方が雄型コネクタとして形成され、その他方が雌型コネクタとして形成されることを特徴とする首掛けストラップ兼磁気誘導ループ。
【請求項８】
請求項７に記載の首掛けストラップ兼磁気誘導ループにおいて、前記雄型コネクタがイアホンプラグとして構成され、前記雌型コネクタがイアホンジャックとして形成されることを特徴とする首掛けストラップ兼磁気誘導ループ。
【考案の詳細な説明】
【技術分野】
【０００１】  本考案は、赤外線補聴システムの赤外線受信機に使用される首掛けストラップ兼磁気誘導ループに関する。
【背景技術】
【０００２】  近年、赤外線補聴システムは、例えば、国際会議場、劇場やスタジアム等で聴力の個人差に由来する所謂“聞こえ”の問題を解消すべく導入されている（例えば、特許文献１及び２）。このような赤外線補聴システムは電波を利用する補聴システムに比べて低雑音でしかも高音質で音声情報を伝達し得るという点で注目されている。
【先行技術文献】
【０００３】
【特許文献１】特許公開２００１−００８２９６号公報
【特許文献２】特許公開２００５−２６９２８２号公報
【０００４】  赤外線補聴システムは赤外線送信機及び赤外線受信機を含む。赤外線送信機は例えば国際会議場の同時通訳者の音声を赤外線音声信号として会議場内に送出する。一方、赤外線受信機は会場内の聴取者によって個々に携帯され、赤外線音声信号を受信してこれを電気音声信号に変換した後にヘッドホン或いはイアホン等で聴取者に伝える。赤外線受信機は音量調節ダイアルを備え、聴取者はその個人の聴力に応じて音量調節ダイアルを調節して最適な状態で音声情報を聴取することができる。
【０００５】  一般に、このような赤外線受信機は首掛けストラップを備え、この首掛けストラップにより聴取者の胸元に位置されるように保持されるが、この場合には首掛けストラップは比較的短く、その首回りでの装着を容易にするためには、首掛けストラップを長めにとることが考えられるが、しかし赤外線受信機の場合には得策ではない。というのは、首掛けストラップが長めにされると、赤外線受信機が聴取者の胸元よりも下方に位置させられて、赤外線音声信号が受信し難くなり得るからである。
【０００６】  一方、上述したような赤外線受信機については、Ｔ−コイル内蔵の補聴器を装着した難聴者が使用する場合を想定して、首掛けストラップを磁気誘導ループ（即ち、Ｔ−コイルに対する発振アンテナ）として兼用することが行われている。要するに、首掛けストラップ内に導体を通し、そこに電気音声信号を流すことにより電気音声信号を発振させ、この電気音声信号をＴ−コイルに受信させて難聴者に音声情報を伝えることが行われている。
【０００７】  以上述べたような首掛けストラップ兼磁気誘導ループを首回りに容易に装着し得るようにするために、該首掛けストラップ兼磁気誘導ループの適当な個所で切断して、その切断個所を適当な電気コネクタで着脱自在に連結することが提案されている。このような構成によれば、該電気コネクタを外すことにより、首掛けストラップ兼磁気誘導ループは聴取者の首回りに容易に装着することが可能であり、その後に電気コネクタを接続することにより首掛けストラップ兼磁気誘導ループの磁気誘導コイルとしての機能も損なわれることはない。
【０００８】  しかしながら、このような首掛けストラップ兼磁気誘導ループにおいては、電気コネクタの接続力の調節が難しいという点が問題となる。というのは、電気コネクタの接続力を弱めると、首掛けストラップ兼磁気誘導ループが何かに引っ掛かると、電気コネクタが容易に外れ、一方電気コネクタの接続力が強められると、電気コネクタの着脱に大きな力が必要になって取扱いが難しくなるからである。また、電気コネクタの接続力を幾分固めに設定して適度な力で電気コネクタの着脱を行えるようにしたとしても、電気コネクタの接続部が摩耗すると、電気コネクタの接続力が弱められるという問題が起きる。
【考案の概要】
【考案が解決しようとする課題】
【０００９】  従って、本考案の目的は、赤外線補聴システムの赤外線受信機に使用される首掛けストラップ兼磁気誘導ループであって、聴取者の首回りに容易に装着し得るだけでなく赤外線受信機が聴取者の胸元に確実に位置されかつそこに安定して保持され得る首掛けストラップ兼磁気誘導ループを提供することである。
【課題を解決するための手段】
【００１０】  本考案による首掛けストラップ兼磁気誘導ループは、赤外線補聴システムの赤外線受信機に使用されるものであって、電気音声信号を通すための導体を内蔵したストラップ本体と、このストラップ本体の少なくとも一方の端部に該導体に電気的に接続固定され、しかも円形横断面を持つ第１の電気的コネクタとから成る。本考案による首掛けストラップ兼磁気誘導ループにおいては、第１の電気的コネクタが赤外線受信機のケーシングに設けられた第２の電気的コネクタに回動自在にかつ着脱自在に接続されると共にその接続後に該第１の電気的コネクタを回動させることにより該ケーシングに設けられた溝部に収納させられると共に該溝部と掛合させられる。
【考案の効果】
【００１１】  このような首掛けストラップ兼磁気誘導ループによれば、ストラップ本体が赤外線受信機を聴取者の胸元に位置させるような長さとされても、即ちストラップ本体が聴取者の首回りに装着し難くっても、第１の電気的コネクタを第２の電気的コネクタから取り外すことにより、ストラップ本体を聴取者の首回りに容易に装着することができる。また、聴取者の首回りでのストラップ本体の装着後、第１の電気的コネクタを第２の電気的コネクタに接続させ、次いで該第１の電気的コネクタを回動させて赤外線受信機のケーシングに設けられた溝部に係合させることにより、第２の電気的コネクタからの第１の電気的コネクタの離脱が確実に阻止され得る。【００１２】  本考案による首掛けストラップ兼磁気誘導ループにおいては、ストラップ本体の他方の端部が赤外線受信機のケーシング内の内部回路に直接的に接続されてもよい。この場合、電気的音声信号は該ストラップ本体の両端部のいずれか一方からストラップ本体内の導体に送られ得る。【００１３】  本考案による首掛けストラップ兼磁気誘導ループにおいては、好ましくは、第１及び第２の電気的コネクタの一方が雄型コネクタとして形成され、その他方が雌型コネクタとして形成される。更に好ましくは、雄型コネクタはイアホンプラグとして構成され、また雌型コネクタはイアホンジャックとして構成される。【００１４】  本考案の他の局面によれば、首掛けストラップ兼磁気誘導ループは、更に、ストラップ本体の他方の端部でその導体に電気的に接続固定され、しかも円形横断面を持つ第３の電気的コネクタとから成ってもよい。この場合、第３の電気的コネクタは赤外線受信機のケーシングに設けられた第４の電気的コネクタに回動自在にかつ着脱自在に接続されると共にその接続後に該第３の電気的コネクタを回動させることにより該ケーシングに設けられた溝部に収納させられると共に該溝部と掛合させられる。【００１５】  本考案の他の局面においても、ストラップ本体の両端部のいずれか一方から電気音声信号が該ストラップ本体内の導体に送られ得る。【００１６】  また、本考案の他の局面においては、好ましくは、第１及び第２の電気的コネクタの一方が雄型コネクタとして形成され、その他方が雌型コネクタとして形成され、また第３及び第４の電気的コネクタの一方が雄型コネクタとして形成され、その他方が雌型コネクタとして形成される。更に好ましくは、雄型コネクタがイアホンプラグとして構成され、雌型コネクタがイアホンジャックとして構成される。
【図面の簡単な説明】
【００１７】
【図１】は、本考案による首掛けストラップ兼磁気誘導ループの一実施形態と共にその首掛けストラップ兼磁気誘導ループを使用する赤外線受信機を示す斜視図であって、首掛けストラップ兼磁気誘導ループの一端部を赤外線受信機側に着脱自在に接続させるための手順の第１段階を説明する説明図である。
【図２】は、図１と同様な斜視図であって、首掛けストラップ兼磁気誘導ループの一端部を赤外線受信機側に着脱自在に接続させるための手順の第２段階を説明するための説明図である。
【図３】は、図１と同様な斜視図であって、首掛けストラップ兼磁気誘導ループの一端部を赤外線受信機側に着脱自在に接続させるための手順の第３段階を説明するための説明図である。
【図４】は、図１と同様な斜視図であって、首掛けストラップ兼磁気誘導ループの一端部を赤外線受信機側に着脱自在に接続させるための手順の第４段階を説明するための説明図である。
【考案を実施するための最良の形態】
【００１８】  以下、図１ないし図４を参照して、本考案による首掛けストラップ兼磁気誘導ループの一実施形態について説明する。【００１９】  先ず、図１を参照すると、赤外線補聴システムの赤外線受信機が参照符号１０で全体的に図示され、この赤外線受信機１０に使用される首掛けストラップ兼磁気誘導ループの一実施形態が参照符号２０で全体的に図示される。【００２０】  赤外線受信機１０は適当な樹脂材料から成形されたケーシング１０Ａを具備し、このケーシング１０Ａの一部はバッテリ内蔵部位１０Ｂとされる。また、ケーシング１０Ａ内には受信回路が内蔵され、該ケーシング１０Ａの反対側の表面、即ち図１では見ることのできない表面には赤外線透過領域が設けられる。【００２１】  上述した受信回路自体は周知のものであり、その機能の概略について以下に説明する。【００２２】  このような受信回路には赤外線センサが含まれ、この赤外線センサは赤外線透過領域の内側に配置され、赤外線補聴システムの赤外線送信機（図示されない）から送信される赤外線音声信号を検出して電気信号に変換する。また、受信回路には、主要な素子として、赤外線センサから出力される電気信号を増幅して電気音声信号に変換するための増幅変換器と、この増幅変換器から出力される電気音声信号の出力レベルを調節するための出力レベル調節器と、この出力レベル調節器から出力される電気音声信号の高音域の音質を変更するための高音域変更器と、この高音域変更器から出力される電気音声信号を外部に出力するための第１及び第２の外部出力端子と、バッテリ内蔵部位１０Ｂ内のバッテリから出力される電力出力をオン／オフするための電源スイッチとが含まれる。【００２３】  再び図１を参照すると、赤外線受信機１０は、ケーシング１０Ａの外部の適当な個所に設けられた音量調節ダイアル１０Ｃを具備し、この音量調節ダイアル１０Ｃは上述した出力レベル調節器及び電源スイッチを動作させるために使用される。詳述すると、図１では、音量調節ダイアル１０Ｃは初期位置で示され、このとき電源スイッチはオフ状態とされる。音量調節ダイアル１０Ｃが時計方向に回動させられるや否や、電源スイッチはオン状態とされ、ケーシング１０Ａ内の受信回路が動作させられる。次いで、音量調節ダイアル１０Ｃが更に時計方向に回動させられるにつれ、上述した出力レベル調節器が動作させられ、そこから出力される電気音声信号レベルが増大させられる。【００２４】  赤外線受信機１０は、ケーシング１０Ａの外部の適当な個所に設けられた高音域切替スイッチ１０Ｄを具備し、この高音域切替スイッチ１０Ｄは上述した高音域変更器を動作するために使用される。詳述すると、図１では、高音域切替スイッチ１０Ｄはオフ位置に置かれ、このとき高音域変更器から出力される電気音声信号の高音域の音質は実質的に変更されない。高音域切替スイッチ１０Ｄがそのオフ位置の上側のオン位置にシフトされると、高音域変更器から出力される電気音声信号の高音域は強調されたものとなる。【００２５】  また、赤外線受信機１０は、ケーシング１０Ａの長手方向側壁の一方の適当な個所に設けられたイアホンジャック１０Ｅを具備し、このイアホンジャック１０Ｅは上述した第１の外部出力��子に電気的に接続され、聴取者はイアホン或いはヘッドホンのジャックをイアホンジャック１０Ｅに挿入することにより音声情報を聴取することができる。【００２６】  また、本実施形態においては、ケーシング１０Ａの上側の両角部にはＬ字形溝部１０Ｆ及び１０Ｇが形成される。【００２７】  図１に示すＬ字形溝部１０Ｆに注目すると、Ｌ字形溝部１０Ｆの内側壁面、即ちケーシング１０Ａの長手方向軸線に平行な内側壁面に電気的コネクタ１０Ｈが設けられ、この電気的コネクタ１０Ｈは上述した第２の外部出力端子と電気的に接続される。本実施形態では、電気的コネクタ１０Ｈは雌型電気的コネクタとして形成され、好ましくは、イアホンジャックとして構成される。一方、図１では見ることができないが、Ｌ字形溝部１０Ｇの該当内側壁面にも電気的コネクタ即ち雌型電気的コネクタ１０Ｈと同様な雌型電気的コネクタが設けられる。【００２８】  なお、本実施形態においては、Ｌ字形溝部１０Ｆ側の雌型電気的コネクタ１０Ｈは上述した第２の外部出力端子と電気的に接続されるので、雌型電気的コネクタ１０Ｈからは電気音声信号が出力されることになるが、Ｌ字形溝部１０Ｇ側の雌型電気的コネクタは適当な抵抗値を持つ抵抗器を介在させてケーシング１０Ａ内の受信回路に対してフレーム接地される。【００２９】  更に、本実施形態においては、Ｌ字形溝部１０Ｆの内側壁面、即ち電気的コネクタ１０Ｈを設けた内側壁面には一対の凸条部１０Ｉが一体的に形成される。図１では見ることができないが、Ｌ字形溝部１０Ｇの該当内側壁面にも同様な一対の凸条部が一体的に形成される。【００３０】  本実施形態においては、本考案による首掛けストラップ兼磁誘導ループ２０は、適当な導体を内蔵するストラップ本体２０Ａ（なお、図１では、図示の便宜上、ストラップ本体２０Ａはその中間部を切除した状態で示されている）と、このストラップ本体２０Ａの両端のそれぞれに一体的に結合された電気的コネクタ２０Ｂ及び２０Ｃとから成る。本実施形態においては、電気的コネクタ２０Ｂ及び２０Ｃのそれぞれは雄型電気的コネクタとして形成され、好ましくは、イアホンプラグとして構成される。【００３１】  図１に示す雄型電気的コネクタ２０Ｂに注目すると、雄型電気的コネクタ２０Ｂは、適当な合成樹脂から成形され、しかも円形横断面を持つヘッド部２０Ｂ１と、このヘッド部２０Ｂ１の中心部から突出し、しかも円形横断面を持つと共に雌型電気的コネクタ１０Ｈに回動自在に挿入されるようになった導体プラグ２０Ｂ２と、適当な合成樹脂から成形され、しかも該ヘッド部２０Ｂ１と一体化されると共にストラップ本体２０Ａの該当端部を一体的に包み込む鞘状部２０Ｂ３とから成り、導体プラグ２０Ｂ２はストラップ本体２０Ａに内蔵された導体と電気的に接続される。【００３２】  図１では、雄型電気的コネクタ２０Ｃの全体を見ることはできないが、雄型電気的コネクタ２０Ｃも雄型電気的コネクタ２０Ｂと実質的に同様な態様で構成される。なお、図１においては、雄型電気的コネクタ２０Ｃはその導体プラグが該当雌型電気的コネクタ（雌型電気的コネクタ１０Ｈと同様な）に挿入された状態でしかもＬ字形溝部１０Ｇ内に収納された状態で図示されている。【００３３】  次に、図１ないし図４を順次参照しつつ、雄型電気的コネクタ２０Ｂを雌型電気的コネクタ１０Ｈに接続させる手順について説明する。【００３４】  先ず、図１に示すように、雄型電気的コネクタ２０Ｂはその導体プラグ２０Ｂ２を雌型電気的コネクタ１０Ｈに向かい合わせると共にその鞘状部２０Ｂ３をケーシング１０Ａの長手方向軸線に対して直角方向に向くように方向付けられる。【００３５】  次いで、図２に示すように、雄型電気的コネクタ２０Ｂは雌型電気的コネクタ１０Ｈに向かって前進させられてその導体プラグ２０Ｂ２を雌型電気的コネクタ１０Ｈに完全に挿入させられ、このときヘッド部２０Ｂ１はＬ字形溝部１０Ｆの一方の部分に収納させられる。【００３６】  続いて、図３に示すように、雄型電気的コネクタ２０Ｂが時計方向に部分的に回動させられると、鞘状部２０Ｂ３がＬ字形溝部１０Ｆの他方の部分に入り込み、このとき鞘状部２０Ｂ３は一対の凸条部１０Ｉに対して部分的に掛合させられる。【００３７】  引き続き、図４に示すように、雄型電気的コネクタ２０Ｂが更に時計方向に図２の位置から９０度の角度位置まで回動させられると、雄型電気的コクタ２０ＢはＬ字形溝部１０Ｆ内に完全に収納させられると共に鞘状部２０Ｂ３は一対の凸条部１０Ｉに対して完全に掛合させられる。かくして、ストラップ本体２０Ａが予期しない外力を受けたとしても、雄型電気的コネクタ２０ＢはＬ字形溝部１０Ｆから離脱し難くなるが、以上で述べた手順を逆に辿ることにより、Ｌ字形溝部１０Ｆからの雄型電気的コネクタ２０Ｂの離脱については容易に実行され得る。【００３８】  なお、既に説明したように、図１では、雄型電気的コネクタ２０Ｃはその導体プラグが該当雌型電気的コネクタ（雌型電気的コネクタ１０Ｈと同様な）に挿入された状態でしかもＬ字形溝部１０Ｇ内に収納された状態で図示されているが、このような状態も雄型電気的コネクタ２０Ｂについて説明した同様な手順で創出されることになる。【００３９】  以上の記載から明らかなように、本実施形態にあっては、首掛けストラップ兼磁誘導ループ２０が赤外線受信機１０を聴取者の胸元に保持させるような比較的短い長さをとされていても、首掛けストラップ兼磁誘導ループ２０の両端部は赤外線受信機１０から速やかに取り外すことができるので、聴取者の首回りでの首掛けストラップ兼磁誘導ループ２０の装着は容易に行うことが可能である。【００４０】  以上で説明した実施形態においては、首掛けストラップ兼磁誘導ループ２０側に雄型電気的コネクタ（２０Ｂ及び２０Ｃ）が設けられ、赤外線受信機１０側に雌型電気的コネクタ（１０Ｈ）が設けられるが、この関係を逆にしてもよい。即ち、首掛けストラップ兼磁誘導ループ側に雌型電気的コネクタを設け、赤外線受信機側に雄型電気的コネクタを設けてもよい。【００４１】  また、以上で説明した実施形態においては、首掛けストラップ兼磁誘導ループの両端部のいずれか一方だけに電気的コネクタが設けてもよく、この場合にはその他方の端部については赤外線受信機の内部回路に恒久的に接続されることになる。
【符号の説明】
【００４２】  １０      赤外線受信機
１０Ａ    ケーシング
１０Ｂ    バッテリ内蔵部位
１０Ｃ    音量調節ダイアル
１０Ｄ    高音域切替スイッチ
１０Ｅ    イアホンジャック
１０Ｆ    Ｌ字形溝部
１０Ｇ    Ｌ字形溝部
１０Ｈ    雌型電気的コネクタ
１０Ｉ    凸条部
２０      首掛けストラップ兼磁気誘導ループ
２０Ａ    ストラップ本体
２０Ｂ    雄型電気的コネクタ
２０Ｂ１  ヘッド部
２０Ｂ２  導体プラグ
２０Ｂ３  鞘状部
２０Ｃ    雄型電気的コネクタ
【図１】
0003187014.tif 000003
【図２】
0003187014.tif 000004
【図３】
0003187014.tif 000005
【図４】
0003187014.tif 000006